(57)【要約】【課題】使用済み電池と未使用電池とを明確に分別収納しながら、仮に使用済み電池と未使用電池とが混在する状態で収納されていても、両者を目視にて簡単に識別できる電池包装体を提供する。【解決手段】複数個の電池５をパックフィルム６で包装してパック化してある電池パック４と、複数個の電池パック４を収容する角箱状のケース本体１とからなる。ケース本体１の前壁１０の下部に、電池パック４を抜き出し操作するための取出口１７が開口している。ケース本体１の側壁１２の上部に、使用済み電池５Ａを１個ずつ差し込み収納できる収納口１８が開口している。電池パック４のパックフィルム６のフィルム面には、破断部７が形成されていて、電池５およびパックフィルム６を１個分ずつ分離できる。最上段の電池パック４の上面に、使用済み電池５ａと、未使用の電池５とを区分する識別体２７が配置される。【選択図】        図１
2004296401.tif 000002
【特許請求の範囲】
【請求項１】
複数個の電池をパックフィルムで包装してパック化してある電池パックと、前記電池パックの複数個を収容する角箱状のケース本体とからなる電池包装体であって、
前記ケース本体の周側壁の下部に、前記電池パックを抜き出し操作できる取出口が開口しており、
前記ケース本体の周側壁の上部に、使用済み電池を１個ずつ軸心方向へ差し込み収納するための収納口が開口していることを特徴とする電池包装体。
【請求項２】
前記電池パックが、複数個の前記電池と、複数個の前記電池の外面を覆うパックフィルムとで構成されており、
前記電池の隣接個所に臨む前記パックフィルムのフィルム面に破断部が形成されており、
前記電池パックから、前記電池および前記パックフィルムを１個分ずつ分離できる請求項１記載の電池包装体。
【請求項３】
前記ケース本体に収容した最上段の前記電池パックの上面に、使用済み電池と未使用電池とを区分する識別体が配されている請求項１記載の電池包装体。
【請求項４】
前記識別体が、前記電池パックの上面を覆う主壁と、前記主壁の上面側へ折り曲げられる閉止壁とを備えており、
全ての前記電池パックを前記ケース本体から抜き出した状態において、前記取出口が前記閉止壁で閉じられて、使用済み電池の抜け出しを阻止している請求項３記載の電池包装体。
【請求項５】
前記取出口が、前記ケース本体のひとつの周側壁に形成される主開口と、前記周側壁に隣接するふたつの周側壁に形成されて前記主開口に連続する摘み口とで構成されており、
前記主開口の開口縁に前記電池パックの抜け出しを防ぐ第１規制片が形成されており、
前記収納口に使用済み電池の抜け出しを防ぐ第２規制片が形成されている請求項１記載の電池包装体。
【請求項６】
前記主開口が、前記ケース本体内の最下段とその上部に重なる２個の電池パックに臨む状態で、前記周側壁の下端に設けられる受止壁の上部に開口しており、
前記最下段の電池パックが、受止壁と第１規制片とで抜け止め保持される請求項５記載の電池包装体。
【請求項７】
前記識別体の主壁に、前記電池ないし前記電池パックに記載された使用推奨期限表示を確認するための視認部が設けられている請求項４記載の電池包装体。
【発明の詳細な説明】
【０００１】
【発明の属する技術分野】
本発明は、電池パックと、電池パックの複数個を収容する角箱状のケース本体とからなる電池包装体に関する。
【０００２】
【従来の技術】
この種の電池包装体として、ポリプロピレン樹脂製のシートを素材とする角箱状のケース本体が公知である（特許文献１）。そこでは、４個のパック電池が起立姿勢でケース本体に収容できる。パック電池は２個の乾電池をシュリンクパックしてなり、蓋で開閉されるケース上面の出入口から取り出すことができる。
【０００３】
本発明では、パック電池を取り出した後の電池包装体内の空き空間を利用して使用済み電池を収容するが、この種の電池包装体は公知である（特許文献２）。そこでは、横長角箱状の紙ケースの上面一側に未使用電池用の取出口を開口し、紙ケースの上面他側に使用済み電池用の収納口が開口している。ケース内に収容した使用済み電池と、未使用電池とは、両者間に配された識別片で区別することができる。
【０００４】
【特許文献１】
特開２００１−１３０５４２号公報（段落番号００１５、図２）
【特許文献２】
特開２００２−１９３３３３号公報（段落番号００２０、図１）
【０００５】
【発明が解決しようとする課題】
特許文献２の電池包装体によれば、未使用電池と使用済み電池とを識別片で区分して、両者を明確に分別収納できる。しかし、未使用電池用の取出口と使用済み電池用の収納口とが、それぞれケース上面に同形状で開口しているので、使用済み電池を未使用電池側の区画に間違えて装填するおそれがある。ケース内に収容した未使用電池は、１個ずつ取り出し操作する必要上パック化されていない。そのため、使用済み電池を未使用電池側の区画に装填してしまうと、目視によって両者を識別することは極めて困難となる。余分に取り出した未使用電池が、使用済み電池側の区画に収納されてしまうおそれもある。取出口および収納口はそれぞれ開閉蓋で閉じることができるが、上下逆さまに載置された状態のケースを持ち上げるような場合に、取出口および収納口の開閉蓋が電池の重みで開き、電池がケース外へ抜け出るおそれがある。
【０００６】
本発明の目的は、使用済み電池と未使用電池とを明確に分別収納しながら、使用済み電池を未使用電池と一緒に収納してしまうのを一掃できるうえ、仮に使用済み電池と未使用電池とが混在する状態で収納されたとしても、両者を目視によって簡単に識別でき、従って使用済み電池と未使用電池との取り違えを確実に解消できる電池包装体を提供することにある。本発明の目的は、ケース本体の載置姿勢の如何にかかわらず、未使用電池の取出口や、使用済み電池の収納口から電池が抜け出るのを確実に防止できる電池包装体を提供することにある。
【０００７】
【課題を解決するための手段】
本発明の電池包装体は、例えば図１および図２に示すように、複数個の電池５をパックフィルム６で包装してパック化してある電池パック４と、電池パック４の複数個を収容する角箱状のケース本体１とからなる。ケース本体１の周側壁の下部には、電池パック１を抜き出し操作できる取出口１７が開口している。ケース本体１の周側壁の上部には、使用済み電池５ａを１個ずつ軸心方向へ差し込み収納するための収納口１８が開口している（請求項１）。
【０００８】
具体的には、図４に示すように、電池パック４が複数個の電池５と、複数個の電池５の外面を覆うパックフィルム６とで構成されており、電池５の隣接個所に臨むパックフィルム６のフィルム面に破断部７が形成されている。以て、電池パック４から、電池５およびパックフィルム６を１個分ずつ分離できるようにする（請求項２）。
【０００９】
ケース本体１に収容した最上段の電池パック４の上面には、使用済み電池５ａと、未使用の電池５とを区分するための識別体２７が配される（請求項３）。
【００１０】
この識別体２７は、図２に示すごとく電池パック４の上面を覆う主壁２８と、主壁２８の上面側へ折り曲げられる閉止壁２９とを備えており、全ての電池パック４をケース本体１から抜き出した状態において、取出口１７を閉止壁２９で閉じて、使用済み電池５ａの抜け出しを阻止できる（請求項４）。
【００１１】
取出口１７は、ケース本体１のひとつの周側壁１０に形成される主開口１９と、前記周側壁１０に隣接するふたつの周側壁１２・１３に形成されて主開口１９に連続する摘み口２０とで構成されており、主開口１９の開口縁に電池パック４の抜け出しを防ぐ第１規制片２１が形成され、収納口１８に使用済み電池５ａの抜け出しを防ぐ第２規制片２５が形成されている（請求項５）。
【００１２】
主開口１７は、ケース本体１内の最下段とその上部に重なる２個の電池パック４・４に臨む状態で、周側壁１０の下端に設けられる受止壁２２の上部に開口しており、最下段の電池パック４が、受止壁２２と第１規制片２１とで抜け止め保持されている（請求項６）。
【００１３】
前記識別体２７の主壁２８には、図５に示すごとく電池５ないし電池パック４に記載された使用推奨期限表示８を確認するための視認部３０を設けることができる（請求項７）。
【００１４】
【発明の作用効果】
本発明に係る電池包装体においては、複数個の電池パック４をケース本体１に収容し、ケース本体１の周側壁１０の下部に形成した取出口１７から電池パック４を抜き出せるようにした。さらに、ケース本体１の周側壁１２の上部に収納口１８を設け、この収納口１８から使用済み電池５ａを１個ずつケース内に差し込み収納することにより、電池パック４を抜き出すことによってケース内に生じる空き空間を利用して、使用済み電池５ａをケース本体１に収納保存できるようにした。つまり取出口１７は、電池パック４の左右幅と前後幅のいずれかに対応する長溝形状とし、収納口１８は使用済み電池５ａを１個ずつ軸心方向へ差し込み収納する孔形状とし、加えて両者１７・１８を上下の異なる位置に開口して、取出口１７と収納口１８とを明確に区別できるようにしてある。
【００１５】
従って本発明によれば、使用済み電池５ａと未使用の電池５とを明確に分別収納しながら、使用済み電池５ａを未使用電池５と一緒に収納する勘違いを一掃できる。仮に使用済み電池５ａが、電池パック４や使用途中の電池パック４と混在する状態で収納されても、後者は電池５の外面がパックフィルム６で覆われているので、未使用であることを目視によって簡単に識別できる。従って、使用済み電池５ａと、電池パック４および未使用電池５との取り違えを確実に解消できる（請求項１）。
【００１６】
電池５の隣接個所に臨むパックフィルム６のフィルム面に破断部７が形成された電池パック４によれば、破断部７を破断することでパックフィルム６を確実に破断して、電池パック４から電池５およびパックフィルム６を１個分ずつ確実に分離できるので、電池パック４の一部のみを使用する場合に、残った電池５のパックフィルム６が破断されるのを防止して、未使用の電池５であることを明確に判別できる（請求項２）。
【００１７】
ケース本体１に収容した最上段の電池パック４の上面に識別体２７を配して、使用済み電池５ａと未使用電池５とを分別収納できるようにした電池包装体によれば、使用済み電池５ａの収容区画と、未使用の電池５の収容区画とを識別体２７で明確に区分できるので、電池パック４の収容区画側へ使用済み電池５ａを収納する勘違いをさらに確実に防止できる。更に、識別体２７の上下位置をケース外から確認することにより、未使用の電池５の大まかな残り数量が一見して確認できる利点もある（請求項３）。
【００１８】
電池パック４の上面を覆う主壁２８と、主壁２８の上面側へ折り曲げられる閉止壁２９とを含む識別体２７によれば、全ての電池パック４をケース本体１から抜き出した状態において、使用済み電池５ａとともにケース底面へ移動する閉止壁２９によって主開口１９を閉止できるので、ケース本体１に収納した使用済み電池５ａが主開口１９から抜け出すのを確実に阻止して、使用済み電池５ａの散逸を防止し、その回収を確実化できる（請求項４）。
【００１９】
主開口１９と、ふたつの周側壁１２・１３に形成されて主開口１９に連続する摘み口２０とで構成した取出口１７によれば、最下段の電池パック４はこれの両側を手でつまんで引き出し操作できるので、電池パック４を容易に取り出せる。しかも、主開口１９の開口縁に設けた第１規制片２１で、最下段の電池パック４を受け止めてその抜け出しを確実に防止できるので、電池パック４が自重で取出口１７から抜け出ることはなく、使用者の明確な意図がない限り電池パック４は取り出せない。同様に、収納口１８にも第２規制片２５が形成されているので、使用済み電池５ａが自重で収納口１８から抜け出すこともなく、全体としてケース本体１の載置姿勢の如何にかかわらず、取出口１７や収納口１８から電池パック４や使用済み電池５ａが抜け出るのを確実に防止できる（請求項５）。
【００２０】
周側壁１０の下端に設けた受止壁２２の上部に主開口１７を設け、主開口１７がケース本体１内の最下段とその上部に重なる２個の電池パック４に臨むようにし、最下段の電池パック４を、受止壁２２と第１規制片２１とが協同して抜け止め保持するようにした電池包装体によれば、受止壁２２の高さ分だけ電池パック４の一部を持ち上げながら抜き出し操作しない限りは、電池パック４を取り出せないので、電池パック４が第１規制片２１を乗り越えて主開口１７から抜け出るのをさらに確実に防止できる。例えば、商品陳列時に、いたずらなどによってケース本体１の外面を覆う包装フィルムが破れてしまった場合にでも、電池パック４の抜け出しを確実に防止して、商品価値が損なわれるのを防止できる（請求項６）。
【００２１】
識別体２７の主壁２８に視認部３０を設け、視認部３０を介して電池５や電池パック４に記載された使用推奨期限表示８を見ることができるようにすると、電池パック４をケース外へ取り出す必要もなく、より少ない手間で電池５の使用推奨期限を知ることができ、とくに、電池包装体が長期にわたって保存される場合の使用推奨期限の確認が簡便に行える（請求項７）。
【００２２】
【実施例】
図１ないし図９に本発明に係る電池包装体の実施例を示す。図１において電池包装体は角箱状に形成されるケース本体１を有し、ケース本体１の内部に４個の電池パック４を収容できる。ケース本体１の上面には、電池パック４を収容するための収容口２が開口しており、この収容口２はケース本体１に折り曲げ自在に連設した蓋３で開閉できる。
【００２３】
図４において電池パック４は、直線列状に並べた４個の電池（単三型電池）５の外面を、透明のシュリンクフィルム（パックフィルム）６で覆って構成してある。シュリンクフィルム６のフィルム面の表裏には、各電池５の隣接個所ごとに破断部７をミシン目状に形成してあり、破断部７を押し破ることにより、電池５およびシュリンクフィルム６を電池パック４から１個分ずつ分離できる。各電池５の負極側の外周面には使用推奨期限表示８を印刷してある。このようにプラスチックフィルムで包装してパック化した電池パック４は、ケース本体１に横臥姿勢で収容されて４段に重なっている。
【００２４】
ケース本体１は、前後壁（周側壁）１０・１１と、左右壁（周側壁）１２・１３と、蓋３と、底壁１４とを備えており、図３に示す展開形状に打ち抜かれた透明のポリプロピレン樹脂シートで組み立てられる。詳しくは、右壁１３、前壁１０、左壁１２、後壁１１を横方向へ記載順に折線を介して連設し、これらの壁１０〜１３の上下に蓋３と底壁１４とを折線を介してそれぞれ連設している。後壁１１の外側縁には接続片１５が折線を介して連設されている。
【００２５】
蓋３は、左右壁１２・１３の上端に折線を介して連設した内蓋３ａと、後壁１１の上端に折線を介して連設されて、内蓋３ａの外側に被さる外蓋３ｂとを含む。外蓋３ｂの先端に設けた掛止片３ｃの左右を、左右の内蓋３ａで受け止めることにより、外蓋３ｂを閉じ姿勢に維持できる。電池パック４の全荷重を受け止める底壁１４は、左右壁１２・１３の下端に折線を介して連設した内底１４ａと、前後壁１０・１１の下端に折線を介して連設した外底１４ｂとで２重壁状に構成する。一対の外底１４ｂには、互いに係合して閉じ姿勢を維持する係合舌片１４ｃと係合口１４ｄとがそれぞれ形成されている。なお、図示していないが、打ち抜き前の各壁面には、商品説明、注意書き、電池包装体の使用方法、メーカー表示などが印刷されている。
【００２６】
上記のブランクシートを各壁面ごとに折り曲げ、接続片１５を右壁１３の外面に接着することにより、箱状のケース本体１を得る。次に内底１４ａを折り曲げ、さらに外底１４ｂを折り曲げて係合舌片１４ｃを係合口１４ｄに差し込み係合することにより、二重壁状の底壁１４を構成する。この状態のケース本体１に４個の電池パック４を開口上面側から落とし込み収容し、内蓋３ａおよび外蓋３ｂを折り込んで、掛止片３ｃを前壁１０の内面に差し込むことにより、蓋３をこれが不用意に開かないよう閉じる。最後に、前壁１０、蓋３、後壁１１、底壁１４の４者の外周に図外の包装フィルムを巻き掛けて包装を完了する。
【００２７】
ケース本体１に収容した電池パック４を抜き出すために、前壁１０の下部には取出口１７が開口している。電池パック４を抜き出した後の空間を利用して、使用済み電池５ａをケース本体１内に保存するために、左壁１２の上部後ろ隅に収納口１８が開口している。図１において取出口１７は、前壁１０に形成された横長溝状の主開口１９と、主開口１９の左右側端に連続して左右壁１２・１３に形成された半円状の摘み口２０とを含み、主開口１９の下側の開口縁に電池パック４の抜け出しを防ぐ第１規制片２１が突設されている。第１規制片２１は、これより下側に設けた受止壁２２に連続して形成してあり、両者２１・２２の境界部分には、第１規制片２１の弾性変形を容易化する切込み２３がミシン目状に形成されている。主開口１９の上下寸法は、電池５の外直径寸法より大きく設定しておく。
【００２８】
図２においてケース本体１に収容した電池パック４は、全体が横臥姿勢になっており、ケース本体１内の最下段とその上部に重なる２個の電池パック４の、電池列の始端（あるいは終端）に位置する電池５が取出口１７に臨む。この状態では、最下段の電池パック４の列始端に位置する電池５が第１規制片２１と受止壁２２とで受け止められているので、ケース本体１が取出口１７を下向きにしても、電池パック４が自重で取出口１７からケース外へ抜け出ることはない。
【００２９】
図１および図２において収納口１８は、電池５の外直径寸法より一回り大きな円形の開口からなり、使用済み電池５ａを１個ずつ差し込んでケース本体１内へ収納できる。一旦、ケース本体１内へ収納した使用済み電池５ａが、収納口１８からケース外へ抜け出るのを防ぐために、収納口１８の内縁前部に舌片状の第２規制片２５が突設されている。第２規制片２５を設けることにより、収納口１８の開口前後幅は電池５の外直径寸法より小さくできるので、ケース本体１が収納口１８を下向きにして載置してあっても、使用済み電池５ａが自重で収納口１８からケース外へ抜け出ることはない。
【００３０】
ケース本体１に収容した最上段の電池パック４の上面には、使用済み電池５ａと未使用の電池５とを区分する識別体２７が配される。識別体２７は、透明のポリプロピレン樹脂シートを素材にして形成してあり、図５および図４に示すように、電池パック４の上面全体を覆う主壁２８と、主壁２８の前端からこれの上面側へ折り曲げた閉止壁２９とを一体に備えている。主壁２８の左右側端の一方の後部には、電池５に記載された使用推奨期限表示８を確認するための視認部３０が設けてある。視認部３０これ以外の壁面は印刷を施して不透明化してあり、図５においては先の不透明部分を交差細線で示した。閉止壁２９は、全ての電池パック４をケース本体１から抜き出した状態において、主開口１９を閉止して使用済み電池５ａの抜け出しを阻止するよう働く。その詳細は後述する。
【００３１】
次に、電池包装体の使用例を説明する。電池を購入した時点では、ケース本体１の内部に、４個の電池パック４が上下に積み重ねられ、最上段に識別体２７が収容されている。電池パック４を取り出す場合には、摘み口２０に臨む最下段の電池パック４を親指と人差指とで左右から挟み保持し、図６に示すように電池パック４の列始端を持ち上げながら主開口１９から抜き出す。このとき、第１規制片２１は、弾性変形しながら切込み２３の部分でケース外方へ折れ曲がるので、支障なく電池パック４を取り出すことができる。ケース外に取り出した電池パック４からは、破断部７を押し破って必要な電池５のみを分離できる。
【００３２】
例えば、２個の使用済み電池５ａを未使用の電池５と交換した場合には、未使用の２個の電池５が残るが、残った電池５は図７に示すようにその外面がシュリンクフィルム６で覆われているので、使用済み電池５ａとは明確に区別でき、従って両者が使用済み電池５ａの収容区画に混在していても、問題なく未使用の電池５を識別できる。なお、シュリンクフィルム６で覆われている未使用の電池５は、蓋３を開き操作して収容口２からケース内へ収納する。未使用の電池５は、必ずしもケース内に収納する必要はなく、ケース外で保管してもよい。
【００３３】
最下段の電池パック４を抜き出すと、その分だけケース本体１の内面上部に空き空間が生じるので、この空間を利用して使用済み電池５ａを収納する。図８に示すように、使用済み電池５ａは収納口１８からケース内へ差し込むが、このとき、第２規制片２５はケース内部へ弾性変形して、使用済み電池５ａの通り抜けを許す。
【００３４】
先に説明したように、最上段の電池パック４の上面には識別片２７を載置してあるので、ケース内に差し込まれた使用済み電池５ａは、識別片２７の主壁２８で受け止められる。同時に、閉止壁２９は自己の弾性で空き空間の上下寸法分だけ起立する。従って、使用済み電池５ａの収納個数が増えてくると、図６に示すように、閉止壁２９は前壁１０の内面に沿って起立し、使用済み電池５ａによって起立姿勢が保持される。全ての電池パック４を抜き出した状態では、図９に示すように、識別片２７は底壁１４で受け止められ、閉止壁２９が取出口１７の主開口１９を内面側から閉止する。そのため、使用済み電池５ａが主開口１９から抜け出ることはない。また、取出口１７に臨む最下段とその上部の使用済み電池５ａとは、それぞれ摘み口２０に臨んではいるが、いずれも電池端面の概ね半分以上が摘み口２０の周縁壁で受け止められているので、ケース本体１を横向きに載置したとしても、これらの電池が摘み口２０から抜け出ることはない。
【００３５】
上記の実施例では、ケース本体１に電池パック４を収容した状態において、電池５の円弧周面が取出口１７に臨むように、ケース本体１を形成したが、電池パック４における４個の電池５の端面（正極または負極）が、取出口１７と正対するように電池パック４がケース内に収容されていてもよい。その場合には、収納口１８を前壁１０と後壁１１とのいずれかに設けることになる。取出口１７は、左右壁１２・１３のいずれか、あるいは後壁１１に形成してもよい。受止壁２２は省略でき、その場合には第１規制片２１を底壁１４に連続して形成する。必要があれば、蓋３に収納口１８を形成することができる。収納口１８の形状は多角形や楕円形であってもよい。
【００３６】
電池パック４は、２個以上の電池５をパックフィルム６でひとまとめにパック包装してあればよく、電池包装体は電池パック４の大きさによって縦長、あるいは横長に形成することができる。但し、ケース本体１内において電池パック４は複数段に重なる状態で収納する。パックフィルム６はシュリンクフィルムである必要はなく、複数個の電池５をひとまとめにするものであればよい。破断部７は必ずしもミシン目状に形成する必要はなく、破断のきっかけとなる切欠や、切込みであってもよい。第１規制壁２１は、主開口１９の上縁から下向きに突設することができる。
【００３７】
ケース本体１は紙、またはプラスチックフィルムが被覆してあるラミネート紙等で形成することができる。識別体２７は紙片で形成することができ、その場合の視認部３０は紙面を切り欠いて形成することができる。使用推奨期限表示８は電池パック４のパックフィルム６に施してもよい。ケース本体１の展開形状は図３で説明した形状に限られない。
【図面の簡単な説明】
【図１】電池包装体の斜視図である。
【図２】電池包装体の一部破断側面図である。
【図３】ケース本体の展開図である。
【図４】電池パックの平面図である。
【図５】識別体の平面図である。
【図６】電池パックの取り出し状態を示す断面図である。
【図７】未使用電池の収納状態を示す断面図である。
【図８】使用済み電池の収納状態を示す横断平面図である。
【図９】閉止壁の作用を示すケース本体の一部破断側面図である。
【符号の説明】
１  ケース本体
４  電池パック
５  未使用電池
５ａ  使用済み電池
６  パックフィルム
７  破断部
８  使用推奨期限表示
１０  ケース本体の前壁
１１  ケース本体の後壁
１２  ケース本体の左壁
１３  ケース本体の右壁
１４  ケース本体の底壁
１５  ケース本体の接続片
１７  取出口
１８  収納口
１９  主開口
２０  摘み口
２１  第１規制片
２２  受止壁
２５  第２規制片
２７  識別体
２８  主壁
２９  閉止壁
３０  視認部
【図１】
2004296401.tif 000003
【図２】
2004296401.tif 000004
【図３】
2004296401.tif 000005
【図４】
2004296401.tif 000006
【図５】
2004296401.tif 000007
【図６】
2004296401.tif 000008
【図７】
2004296401.tif 000009
【図８】
2004296401.tif 000010
【図９】
2004296401.tif 000011